(57)【要約】【課題】印刷方法に工夫を凝らして、リアルな金属調の見映えが得られる表示板を提供する。【解決手段】ヘアライン等金属表面の仕上げ加工模様を模したデザイン層を２層、つまり第１デザイン層３および第２デザイン層４をメタル地色層２上に重ねて印刷した。さらに第１デザイン層３の第１加工調模様３１と第２デザイン層４の第２加工調模様４１とを同一形状且つ表示板１において第１加工調模様３１と第２加工調模様４１とを交差させて配置した。これにより、表示板１の表面において、各加工調模様３１、４１により形成される濃淡分布が一様ではなく不均一なものになる。このため、表示板１の見映えは、本物の金属加工模様にそっくりの見映えとなる。これにより、リアルな金属調の見映えが得られる表示板１を提供することができる。【選択図】図１
2008015355.tif 000002
【特許請求の範囲】
【請求項１】
基板と、
前記基板の表面側に形成されるメタル地色層と、
前記メタル地色層の上面に第１スモーク調塗料を印刷して形成される第１加工調模様からなる第１デザイン層と、
前記第１デザイン層の上面に第２スモーク調塗料を印刷して形成される第２加工調模様からなる第２デザイン層とを備える表示板であって、
前記第１加工調模様と前記第２加工調模様とは略同一形状であり、
前記第２デザイン層は、前記第２加工調模様と前記第１加工調模様とが交差するように前記第２加工調模様を前記第１デザイン層の前記第１加工調模様に対して移動させた状態で施されることを特徴とする表示板。
【請求項２】
前記移動の方向は平行および回転の少なくとも一方であることを特徴とする請求項１に記載の表示板。
【請求項３】
前記メタル地色層には文字、図形等の形状に前記メタル地色層が施されない意匠部が形成され、
前記第１デザイン層には前記第１スモーク調塗料が施されない第１窓部が形成され、
前記第２デザイン層には前記第２スモーク調塗料が施されない第２窓部が形成され、
前記第１窓部および前記第２窓部は前記意匠部と略同一形状且つ重なるように形成され、前記第１窓部および前記第２窓部の各輪郭線は前記意匠部の輪郭線の外側にあるように形成されることを特徴とする請求項１または請求項２に記載の表示板。
【請求項４】
前記第１スモーク調塗料としてクリア系塗料およびマット系塗料のどちらか一方を用い、前記第２スモーク調塗料としてクリア系塗料およびマット系塗料の他方を用いたことを特徴とする請求項１ないし請求項３のいずれかに記載の表示板。
【発明の詳細な説明】
【技術分野】
【０００１】
本発明は、たとえば自動車等に搭載される計器に用いられる表示板に関するものである。
【背景技術】
【０００２】
従来の表示板としては、プラスチック板等からなる被印刷板にメタリックインキをベタ塗りして形成されるメタル地色層を施し、このメタル地色層の上にスモークインキ等によりメタル仕上げ模様を印刷形成したデザイン層を施したものがある（特許文献１参照）。
【０００３】
この場合、安価な印刷により、表示板の見映えを金属調とする、すなわち金属材料に機械加工等を施して得られる加工面であるヘアライン模様、梨地模様等相当とすることができる。
【特許文献１】特許第３４３００６９号公報
【発明の開示】
【発明が解決しようとする課題】
【０００４】
上述の従来の表示板では、金属表面の加工模様を表現するためのデザイン層は、一回の印刷により施されている。
【０００５】
このため、金属表面の加工模様の表現が単調なものとなり、実際に金属材料の表面に形成された加工模様（ヘアライン模様、ラップ仕上げ模様等）と比べると、リアルさに劣る可能性があった。
【０００６】
本発明は、上記の問題点に鑑みなされたもので、印刷方法に工夫を凝らして、リアルな金属調の見映えが得られる表示板を提供することを目的とする。
【課題を解決するための手段】
【０００７】
本発明は上記目的を達成する為、以下の技術的手段を採用する。
【０００８】
本発明の請求項１に記載の表示板は、基板と、基板の表面側に形成されるメタル地色層と、メタル地色層の上面に第１スモーク調塗料を印刷して形成される第１加工調模様からなる第１デザイン層と、第１デザイン層の上面に第２スモーク調塗料を印刷して形成される第２加工調模様からなる第２デザイン層とを備える表示板であって、第１加工調模様と第２加工調模様とは略同一形状であり、第２デザイン層は、第２加工調模様と第１加工調模様とが交差するように第２加工調模様を第１デザイン層の第１加工調模様に対して移動させた状態で施されることを特徴としている。
【０００９】
従来の表示板においては、デザイン層は一層だけ設けられており、その加工模様の陰影が単調な見映えとなっていた。
【００１０】
一方、本発明の請求項１に記載の表示板によれば、加工模様を施すためのデザイン層は、第１デザイン層と第２デザイン層の２層施され、且つ第２加工調模様と第１加工調模様とが交差することにより、加工模様による陰影が複雑なものとなる。すなわち、第２加工調模様と第１加工調模様との交点近傍では、交点に近づくに連れて模様の密度が高くなり、交点から離れた部分では模様の密度が低くなっている。したがって、表示板表面においては、加工模様の濃淡分布が一様ではなく不均一なものになる。このため、表示板の見映えは、あたかも本物の金属加工模様であるかのような見映えなる。これにより、リアルな金属調の見映えが得られる表示板を提供することができる。
【００１１】
本発明の請求項２に記載の表示板は、移動の方向は平行および回転の少なくとも一方であることを特徴としている。
【００１２】
金属加工模様は、一般的には、多数の細線から構成され、その形状は加工方法固有の形状となる。たとえば、互いに略平行の直線状に配列されたり、あるいは同心円状に配列されたりしている。
【００１３】
第１加工調模様が略平行の直線から構成されている場合、第２加工調模様を第１加工調模様を回転移動したように形成すれば、第１加工調模様を構成する直線と第２加工調模様を構成する直線とは必ず交差する。これにより、表示板表面における加工模様の濃淡分布を不均一なものとして、表示板の見映えを、あたかも本物の金属加工模様であるかのようにすることができる。
【００１４】
また、第１加工調模様が同心円状に配列された円弧から構成されている場合、第２加工調模様を第１加工調模様に対して平行移動した位置に施せば、第１加工調模様を構成する円弧と第２加工調模様を構成する円弧とは必ず交差する。これにより、表示板表面における加工模様の濃淡分布を不均一なものとして、表示板の見映えを、あたかも本物の金属加工模様であるかのようにすることができる。
【００１５】
本発明の請求項３に記載の表示板は、メタル地色層には文字、図形等の形状にメタル地色層が施されない意匠部が形成され、第１デザイン層には第１スモーク調塗料が施されない第１窓部が形成され、第２デザイン層には第２スモーク調塗料が施されない第２窓部が形成され、第１窓部および第２窓部は意匠部と略同一形状且つ重なるように形成され、第１窓部および第２窓部の各輪郭線は意匠部の輪郭線の外側にあるように形成されることを特徴としている。
【００１６】
上述した構成によれば、意匠部にはメタル地色層を形成する塗料、第１スモーク調塗料および第２スモーク調塗料が施されておらず、基板表面が露出した状態となっている。したがって、表示板は、加工模様を備えた金属板にプレス加工等を施して意匠部を貫通孔状に形成した如くの見映えとなる。
【００１７】
これにより、表示板の見映えをリアルな金属調としつつ、且つ表示板に文字図形等の意匠部を設けることができる。
【００１８】
ここで、第１窓部の輪郭線および第２窓部お輪郭線の少なくとも一方が意匠部の輪郭線の内側にある場合を考える。このとき、第１デザイン層の第１スモーク調塗料および第２デザイン層の第２スモーク調塗料の少なくとも一方が、意匠部、すなわちメタル地色層が施されていない領域にも施されている。そのため、意匠部の輪郭線が乱れて視認されてしまい、表示板の見映えが低下することになる。
【００１９】
上述した構成によれば、第１窓部の輪郭線および第２窓部お輪郭線は確実に意匠部の輪郭線の内側にあるので、意匠部の形状は明瞭に視認され、表示板の見映えを良好なものとすることができる。
【００２０】
本発明の請求項４に記載の表示板は、第１スモーク調塗料としてクリア系塗料およびマット系塗料のどちらか一方を用い、第２スモーク調塗料としてクリア系塗料およびマット系塗料の他方を用いたことを特徴としている。
【００２１】
このような構成によれば、第１加工調模様の風合いと第２加工調模様の風合いとが異なるため、表示板上の陰影が強調され、その結果各加工模様が立体感豊かに視認される。したがって、金属調模様のリアル感がより強調された見映えの表示板を提供することができる。
被印刷板１は、表裏二平面を平滑に形成されたプラスチック板、ガラス板等の印刷用素材から構成され、裏面側に印刷する場合には必ず透明にし、印刷が表側から見えるようにする。
【００２２】
メタル地色層２は、アルミニウム粉、ブロンズ粉等の金属粉顔料や雲母に酸化チタンや酸化鉄をコーティングして作られたパール顔料を用いたメタリックインキをベタで印刷し形成される層で、銀、金、パールの地色を表現する。
【００２３】
デザイン層３は黒インキ等は光沢や透明度を増すようメジウムを加えて用いられるもので、メタル地色層２の表面側に配されるよう印刷形成される。デザイン層３はメタル地色層２の色をその透明性から生かすとともに、刷版からヘアライン、梨地、ラップ仕上げ模様等の金属表面の仕上げ加工模様を表現できるようにされる。
【発明を実施するための最良の形態】
【００２４】
以下、本発明の一実施形態による表示板について、図面に基づいて説明する。
【００２５】
図１は、本発明の一実施形態による表示板１の部分正面図である。
【００２６】
図２は、図１中のＩＩ−ＩＩ線断面図である。
【００２７】
図３は、図１中のＩＩＩ部拡大図である。
【００２８】
図４は、本発明の一実施形態の変形例による表示板１の部分正面図である。
【００２９】
表示板１は、たとえば自動車に搭載される計器の文字板等に適用されている。
【００３０】
表示板１は、平滑な基板１ａの表面に、メタル地色層２、第１デザイン層３および第２デザイン層３をこの順番で印刷等により積層して施して形成されている。表示板１ａは、図１に示すように、計器の目盛５を備えている。目盛５は、メタル地色層２、第１デザイン層３および第２デザイン層３が設けられていない状態、言い換えると基板１ａの表面をそのまま露出させて形成されている。なお、目盛５は、複数個設けられているが、図１においては、分り易さのために１個のみ表示している。
【００３１】
基板１ａは、ガラス板、プラスチック板等から形成され、その表面は印刷に支障のない程度に平滑に形成されている。
【００３２】
メタル地色層２は、メタリック塗料を基板１ａにベタ刷りにして形成されている。メタル地色層２には、メタリック塗料が施されない意匠部である目盛５が形成されている。目盛５は、図３に示すように、メタル地色層２におけるメタリック塗料が施されない部分の輪郭線２ａの内側領域として構成され、基板１ａの表面が露出している。
【００３３】
メタリック塗料としては、アルミニウム粉、ブロンズ粉等の金属粉顔料や、雲母に酸化チタンや酸化鉄をコーティングした顔料を混入してなる塗料が用いられている。メタル地色層２は、輪郭線２ａの内側、すなわち目盛５を除く基板１ａのほぼ全域に一様に施されている。
【００３４】
メタル地色層２の上面には、図２に示すように、第１デザイン層３が第１スモーク調塗料により印刷して施されている。第１スモーク調塗料としては、たとえば、メジウムと墨インキ等を混練して光沢や透明度を増したクリア系塗料が用いられている。
【００３５】
第１デザイン層３は、ヘアライン等の金属表面の加工模様を表現した第１加工調模様３１から形成されている。第１加工調模様３１は、図１に示すように、Ｃ１を共通の中心とする複数個の同心円として形成されている。
【００３６】
第１デザイン層３においては、図３に示すように、目盛５に相当する部分には第１スモーク調塗料が施されない第１窓部３ａが形成されている。つまり、第１加工調模様３１は、目盛５と重なる部分においては、第１スモーク調塗料が施されずに途切れている。図３に示すように、各第１加工調模様３１の途切れた部分の先端同士を結んだ線が第１窓部３ａの輪郭線３ｂを形成している。輪郭線３ｂは、図３に示すように、輪郭線２ａの外側に形成されている。
【００３７】
第１デザイン層３の上面には、図２に示すように、第２デザイン層４が第２スモーク調塗料により印刷して施されている。第２スモーク調塗料としては、たとえば、マット剤と墨インキ等を混練して光沢を抑えたマット系塗料が用いられている。
【００３８】
第２デザイン層４は、ヘアライン等の金属表面の加工模様を表現した第２加工調模様４１から形成されている。第２加工調模様４１は、図１に示すように、Ｃ２を共通の中心とする複数個の同心円として形成されている。
【００３９】
第２デザイン層４においては、図３に示すように、目盛５に相当する部分には第２スモーク調塗料が施されない第２窓部４ａが形成されている。つまり、第２加工調模様４１は、目盛５と重なる部分においては、第２スモーク調塗料が施されずに途切れている。図３に示すように、各第２加工調模様４１の途切れた部分の先端同士を結んだ線が第２窓部４ａの輪郭線４ｂを形成している。輪郭線４ｂは、図３に示すように、輪郭線２ａの外側に形成されている。
【００４０】
ここで、第２加工調模様４１の形状は第１加工調模様３１と同一である。そして、第２加工調模様４１は、基板１ａ上において、図１に示すように、第１加工調模様３１を平行移動した位置に形成されている。つまり、第１加工調模様３１を構成する複数個の同心円の中心Ｃ１をＣ２まで移動したような形状に形成されている。この結果、表示板１において、第１加工調模様３１と第２加工調模様４１とは、図１に示すように、交差している。なお、第２デザイン層４において、第２窓部４ａは、図３に示すように、その輪郭線４ｂが第１デザイン層３の窓部３ａの輪郭線３ｂと重なるように形成されている。
【００４１】
次に、本発明の一実施形態による表示板１の特徴、すなわち、メタル地色層２の上に、第１デザイン層３および第２デザイン層４をこの順番に重ねて施したことの効果について、特に、表示板１の見映えにおよぼす効果について説明する。
【００４２】
先ず、従来の表示板においては、ガラス、プラスチック等の被印刷板上に、メタリックインキによりベタ刷りを施してメタル地色層を形成し、その上に、ヘアライン等金属表面の仕上げ加工模様を模したデザイン層をスモーク調インキにより印刷して形成している。これにより、ヘアライン等の金属表面の仕上げ加工模様を備える表示板を、実際の金属材料表面に機械加工を施して加工模様を形成する場合に比して、安価且つ容易に同等の見映え、すなわちヘアライン等金属表面の仕上げ加工模様調の見映えを備えた表示板を提供しようとするものである。しかしながら、ヘアライン等金属表面の仕上げ加工模様を模したデザイン層が一層施されたのみであるため、金属表面加工模様の表現が単調なものとなり、実際の金属材料の表面に形成された加工模様と比べると、リアルさに劣る可能性があった。
【００４３】
これに対して、本発明の一実施形態による表示板１においては、ヘアライン等金属表面の仕上げ加工模様を模したデザイン層が２層、すなわち第１デザイン層３と第２デザイン層４がメタル地色層２上に重ねて印刷して形成され、さらに第１デザイン層３の第１加工調模様３１と第２デザイン層４の第２加工調模様４１とは同一形状且つ表示板１において第１加工調模様３１と第２加工調模様４１とが交差している。
【００４４】
第１加工調模様３１と第２加工調模様４１とが交差するため、第１加工調模様３１と第２加工調模様４１との交点近傍では、交点に近づくに連れて模様の間隔が狭まり密度が高くなり、交点から離れた部分では模様の間隔が広がり密度が低くなる。すなわち、表示板１の表面において、加工調模様の濃淡分布が一様ではなく不均一なものになる。このため、表示板１の見映えは、本物の金属加工模様にそっくりの見映えとなる。これにより、リアルな金属調の見映えが得られる表示板１を提供することができる。
【００４５】
また、本発明の一実施形態による表示板１においては、メタル地色層２にメタリック塗料が施されない意匠部としての目盛５を設け、第１デザイン層３に目盛５に対応して第１スモーク調塗料が施されない第１窓部３ａを設け且つ第２デザイン層４に目盛５に対応して第２スモーク調塗料が施されない第２窓部を設けている。そして、第１窓部３ａの輪郭線３ｂおよび第２窓部４ａの輪郭線４ｂを同一形状且つ重なるように形成するとともに、両輪郭線３ｂ、４ｂが目盛５の輪郭線２ａの外側にあるように形成している。
【００４６】
これにより、第１加工調模様３１と第２加工調模様４１（本発明の一実施形態による表示板１においては、同心円の円弧）が、目盛５の内側に延長されることが確実に阻止されるので、目盛５の視認性が良好なものとなる。したがって、表示板１の見映えをリアルな金属調の見映えとしつつ、目盛５の良好な見映えを得ることができる。
【００４７】
ここで、目盛５の表示方法について簡単に説明する。
【００４８】
表示板１の背後に光源が無い場合、あるいはあっても消灯している場合は、目盛５は金属調の背景の中に黒色で視認される。一方、表示板１の背後に光源を配置し且つ点灯すると、目盛５は、金属調を背景として光源の発光色で発光表示される。
【００４９】
また、本発明の一実施形態による表示板１においては、第１デザイン層３を形成する第１スモーク調塗料として光沢のあるクリア系塗料を用い、第２デザイン層４を形成する第２スモーク調塗料として光沢のないマット系塗料を用いている。
【００５０】
これにより、第１加工調模様３１の風合いと第２加工調模様４１の風合いとが異なるものとなり、表示板１上において、両加工調模様３１、４１により形成される陰影が強調され、その結果両加工調模様３１、４１が立体感豊かに視認される。したがって、金属調模様のリアル感がより強調された見映えの表示板１を提供することができる。
【００５１】
ここで、表示板１の基板１ａにメタル地色層２を施す前に、基板１ａの表面あるいは裏面における少なくとも目盛５を覆う部分に透光性塗料層を施せば、表示板１の背後に光源を配置し且つそれを点灯すれば、目盛５は透光性塗料層の色で発光表示される。
【００５２】
なお、以上説明した、本発明の一実施形態による表示板１においては、第１デザイン層３の第１加工調模様３１および第２デザイン層４の第２加工調模様４１を複数の同心円の円弧状に形成し且つ第２加工調模様４１を表示板１において第１加工調模様３１に対して平行移動した位置に形成しているが、この構成に限る必要はない。第１加工調模様３１および第２加工調模様４１を他の形状に形成してもよいし、第２加工調模様４１の移動方向を平行方向ではなく回転方向としてもよい。たとえば、第１加工調模様３１を互いに略平行な複数の直線から構成し、第２加工模様４１を第１加工調模様３１と同様に構成し且つ第２加工調模様４１を、表示板１において第１加工調模様３１に対してわずかな角度だけ回転移動させて配置してもよい。この場合、第１加工調模様３１を構成する互いに平行な複数の直線は、第２加工模様４１を構成する互いに平行な複数の直線と或る角度を成すため互いに交差する。それにより、本発明の一実施形態による表示板１の場合と同様に、表示板１の加工調模様の濃淡分布を一様ではなく不均一なものとして本物の金属加工模様にそっくりの見映えが得られる表示板１を提供することができる。
【００５３】
また、以上説明した、本発明の一実施形態による表示板１においては、表示板１が備える意匠部を計器の目盛５としているが、目盛５に限る必要は無く、数字等の文字、各種警告灯の図形等に置き換える、あるいは追加する等してもよい。
【００５４】
また、以上説明した、本発明の一実施形態による表示板１においては、第１スモーク調塗料として光沢のあるクリア系塗料を用い、第２スモーク調塗料として光沢のないマット系塗料を用いているが、この組合せに限定する必要は無く、反対に第１スモーク調塗料として光沢のないマット系塗料を用い、第２スモーク調塗料として光沢のあるクリア系塗料を用いてもよい。あるいは、第１スモーク調塗料および第２スモーク調塗料の両方にクリア系塗料、またはマット系塗料を用いても良い。
【００５５】
また、以上説明した、本発明の一実施形態による表示板１においては、基板１ａの表面、すなわち視認される側の面にメタル地色層２を設け、さらにメタル地色層２の上に、第１デザイン層３および第２デザイン層４を順番に重ねて施しているが、この構成に限定する必要はない。たとえば、基板１ａを透明なガラス板あるいはプラスチック板から形成し、基板１ａの裏面にメタル地色層２を施し、基板１ａの表面に第１デザイン層３および第２デザイン層４を順番に重ねて施す構成としてもよい。すなわち、視認者から見て、視認者側から、第２デザイン層４、第１デザイン層３、メタル地色層２の順番に重なって見える構成であれば、上述した、本発明の一実施形態による表示板１の場合と同様の効果が得られる。
【図面の簡単な説明】
【００５６】
【図１】本発明の一実施形態による表示板１の部分正面図である。
【図２】図１中のＩＩ−ＩＩ線断面図である。
【図３】図１中のＩＩＩ部拡大図である。
【符号の説明】
【００５７】
１    表示板
１ａ    基板
２    メタル地色層（メタリック塗料）
２ａ    輪郭線
３    第１デザイン層
３１    第１加工調模様（第１スモーク調塗料）
３ａ    第１窓部
３ｂ    輪郭線
４    第２デザイン層
４１    第２加工調模様（第１スモーク調塗料）
４ａ    第２窓部
４ｂ    輪郭線
５    目盛（意匠部）
Ｃ１    中心
Ｃ２    中心
【図１】
2008015355.tif 000003
【図２】
2008015355.tif 000004
【図３】
2008015355.tif 000005